(57)【要約】【課題】局部的な段差や隙間を生じさせることの少ない弾性機能を有する床構造及びその弾性機能の硬さを変更する方法を提供する。【解決手段】平面方向に連結されることによって床板２を構成する複数の板部材１０と、各板部材１０の下面１２に所定の間隔をおいて複数設けられ、板部材１０を支持する支持部材２０と、互いに隣接する板部材１０、１０のうちいずれか一方の板部材１０の縁１３の上面１１及び下面１２に設けられた一対の連結部３０、３１と、互いに隣接する板部材１０、１０の一方の板部材１０を他方の板部材１０に対して固定する固定部材４０と、板部材１０が平面方向に連結されることによって構成される床板２の外周縁２ａに着脱可能に設けられ、床板２上に敷設された畳３の平行方向の移動を規制する規制部材５０とを備えている。【選択図】図１
2011074667.tif 000002
【特許請求の範囲】
【請求項１】
平面方向に連結されることによって床板を構成する２以上の板部材と、
弾性素材から構成され、各板部材の下面に設けられ、該板部材を支持する支持部材と、
互いに隣接する板部材のうちいずれか一方の板部材の縁の上面及び下面に設けられ、他方の板部材の縁に向かって突出し、その間に他方の板部材の縁が挿入可能な上下一対の連結部と、
断面コ字状に形成され、互いに隣接する板部材の一方の板部材を他方の板部材に対して固定する固定部材と、を備えた弾性機能を有する床構造であって、
前記板部材の上面の縁近傍には、前記固定部材のコ字の突出部分の先端縁が挿入可能な固定孔が形成され、
隣接する一方の板部材に設けられた一対の連結部の間に他方の板部材の縁が挿入した状態で、一の固定部材の一方の前記先端縁が隣接する一方の板部材の固定孔に挿入され、他方の前記先端縁が隣接する他方の板部材の固定孔に挿入されることによって、隣接する板部材は、互いに平面方向に対して固定されることを特徴とする弾性機能を有する床構造。
【請求項２】
前記支持部材は、四角柱形状からなり、各板部材の下面に所定の間隔をおいて複数設けられていることを特徴とする請求項１記載の弾性機能を有する床構造。
【請求項３】
前記板部材は、前記床板上に敷設される畳の大きさと異なる大きさで形成されていることを特徴とする請求項１又は２記載の弾性機能を有する床構造。
【請求項４】
前記板部材が平面方向に連結されることによって構成される床板の外周縁に設けられ、該床板上に敷設された畳の平行方向の移動を規制する規制部材をさらに備えていることを特徴とする請求項１乃至３いずれか記載の弾性機能を有する床構造。
【請求項５】
前記板部材が平面方向に連結されることによって構成される床板の下面に設けられた複数の支持部材のうち、１以上の支持部材を復元力が異なるものに変更することによって、請求項１乃至４いずれか記載の弾性機能を有する床構造の硬さを変更する方法。
【請求項６】
復元力が異なる２種類の支持部材を用意し、縦方向及び横方向に互いに隣接する支持部材が異なる種類の支持部材となるように配置することを特徴とする請求項５記載の弾性機能を有する床構造の硬さを変更する方法。
【発明の詳細な説明】
【技術分野】
【０００１】
本発明は、体育館などに畳を敷設する際に体育館の床面と畳との間に設置され、畳に加えられる荷重を吸収する弾性機能を有する床構造及びその弾性機能の硬さを変更する方法に関するものである。
【背景技術】
【０００２】
従来から、中学校や高等学校の体育の授業において柔道など畳の施設を必要とする競技が行われる場合、体育館の床面の上に床構造が設置され、その上に畳が敷設されている。この床構造としては、競技者に怪我が生じるのを可及的に防止するために、弾性機能を有するものが用いられている。このような弾性機能を有する床構造として、例えば、弾性素材からなる複数の支持部材が下面に設けられた２以上の板部材がゴムジョイントにより平行方向に連結されたものや（特許文献１）、弾性素材からなる複数の支持部材が下面に設けられた２以上の板部材が、互いにそれぞれの縁の下面から他方に向かって突出する連結部によって平行方向に連結されたもの（特許文献２）が知られている。
【先行技術文献】
【特許文献】
【０００３】
【特許文献１】実公昭６３−４１１９号公報
【特許文献２】実開昭５４−１７７１２６号公報
【発明の概要】
【発明が解決しようとする課題】
【０００４】
しかしながら、特許文献１に記載されたものは、隣接する板部材がゴムジョイントのみによって連結されているので、荷重が加えられた板部材に隣接する板部材が連動せずに、板部材と板部材との間に局部的な大きな段差を生じて、畳が傾き、競技者がバランスを崩すという問題がある。また、特許文献２に記載されたものは、板部材と板部材との連結が隣接する板部材の下面を相互に支持する連結部のみによりなされているため、板部材と板部材との平面方向の連結が十分ではなく、板部材と板部材との間に隙間を生じさせるという問題がある。
【０００５】
そこで、本発明は、局部的な段差や隙間を生じさせることの少ない弾性機能を有する床構造及びその弾性機能の硬さを変更する方法を提供することを目的とする。
【課題を解決するための手段】
【０００６】
以上の目的を達成するため、本発明に係る弾性機能を有する床構造は、平面方向に連結されることによって床板を構成する２以上の板部材と、弾性素材から構成され、各板部材の下面に設けられ、該板部材を支持する支持部材と、互いに隣接する板部材のうちいずれか一方の板部材の縁の上面及び下面に設けられ、他方の板部材の縁に向かって突出し、その間に他方の板部材の縁が挿入可能な上下一対の連結部と、断面コ字状に形成され、互いに隣接する板部材の一方の板部材を他方の板部材に対して固定する固定部材と、を備えた弾性機能を有する床構造であって、前記板部材の上面の縁近傍には、前記固定部材のコ字の突出部分の先端縁が挿入可能な固定孔が形成され、隣接する一方の板部材に設けられた一対の連結部の間に他方の板部材の縁が挿入した状態で、一の固定部材の一方の前記先端縁が隣接する一方の板部材の固定孔に挿入され、他方の前記先端縁が隣接する他方の板部材の固定孔に挿入されることによって、隣接する板部材は、互いに平面方向に対して固定されることを特徴とする。
【０００７】
以上のように、本発明に係る弾性機能を有する床構造によると、隣接する板部材同士が一方の板部材の連結部の間に他方の板部材の縁が挿入されて連結されることにより、荷重が加えられた板部材に隣接する板部材が連動し、板部材と板部材との間に局部的な段差が生じるのを可及的に防止することができる。また、さらに固定部材を用いて隣接する板部材同士を互いに平面方向に対して固定することにより、板部材と板部材との間に局部的な隙間が生じるのを可及的に防止することができる。
【０００８】
本発明に係る弾性機能を有する床構造において、前記支持部材は、四角柱形状からなり、各板部材の下面に所定の間隔をおいて複数設けられていることが好ましい。
【０００９】
また、前記板部材は、前記床板上に敷設される畳の大きさと異なる大きさで形成されていることが好ましく、このように、床板を構成する板部材を畳と異なる大きさとすることにより、板部材同士が接する境界と畳同士が接する境界とを異なる位置とすることができるため、より局部的な段差を生じさせることの少ない弾性機能を有する床構造とすることができる。
【００１０】
さらに、前記板部材が平面方向に連結されることによって構成される床板の外周縁に設けられ、該床板上に敷設された畳の平行方向の移動を規制する規制部材をさらに備えていることが好ましく、このように、床板の外周縁に畳の移動を規制する規制部材を備えることにより、隣接する畳同士に隙間が生じるのを可及的に防止することができる。
【００１１】
また、本発明に係る弾性機能を有する床構造の硬さを変更する方法は、前記板部材が平面方向に連結されることによって構成される床板の下面に設けられた複数の支持部材のうち、１以上の支持部材を復元力が異なるものに変更することを特徴とする。このように、複数の支持部材のうち、１以上の支持部材を復元力が異なるものに変更することにより、本発明に係る弾性機能を有する床構造の硬さを、対象とする選手の体重に対応した適切な硬さとすることができる。
【００１２】
本発明に係る弾性機能を有する床構造の硬さを変更する方法において、復元力が異なる２種類の支持部材を用意し、縦方向及び横方向に互いに隣接する支持部材が異なる種類の支持部材となるように配置することが好ましい。
【発明の効果】
【００１３】
以上のように、本発明によれば、局部的な段差や隙間を生じさせることの少ない弾性機能を有する床構造及びその弾性機能の硬さを変更する方法を提供することができる。
【図面の簡単な説明】
【００１４】
【図１】本発明の一実施形態に係る弾性機能を有する床構造を示す略全体平面図である。
【図２】本実施形態に係る弾性機能を有する床構造の板部材を示す平面図である。
【図３】図１のＡ−Ａ´線に沿った拡大断面図である。
【図４】図１のＢ−Ｂ´線に沿った拡大断面図である。
【図５】本実施形態に係る弾性機能を有する床構造の使用例を示す略部分平面図である。
【発明を実施するための形態】
【００１５】
次に、本発明の一実施形態に係る弾性機能を有する床構造について、図面に基づいて説明する。本実施形態に係る弾性機能を有する床構造１は、図１に示すように、平面方向に連結されることによって床板２を構成する複数の板部材１０と、各板部材１０の下面１２に所定の間隔をおいて複数設けられ、板部材１０を支持する支持部材２０と、互いに隣接する板部材１０、１０のうちいずれか一方の板部材１０の縁１３に設けられた一対の連結部３０、３１と、互いに隣接する板部材１０、１０の一方の板部材１０を他方の板部材１０に対して固定する固定部材４０と、板部材１０が平面方向に連結されることによって構成される床板２の外周縁２ａに着脱可能に設けられ、床板２上に敷設された畳３の平行方向の移動を規制する規制部材５０とを備えている。
【００１６】
板部材１０は、図２に示すように、畳と形状及び大きさの異なる略正方形状に形成されたラワンベニヤなどの合板からなり、上面１１の各縁１３の両角１４近傍には、後述する固定部材４０の上端縁４１又は下端縁４２が挿入可能な固定孔１５が形成されている。
【００１７】
支持部材２０は、図３及び図４に示すように、例えば発泡樹脂などの弾性素材から構成され、四角柱形状に形成されている。
【００１８】
連結部３０、３１は、図１乃至図３に示すように、平板状に形成されたアルミニウムなどの所定の硬度を有する材料からなり、長手方向の長さが板部材１０の各縁１３の両角１４近傍に形成された固定孔１５、１５の間の長さよりも短い長方形状に形成されている。また、連結部３０、３１は、連結部３０、３１の長手方向の中央と板部材１０の縁１３の中央とがほぼ同一の位置となるように、互いに隣接する板部材１０、１０のうちいずれか一方の板部材１０の縁１３近傍の上面１１及び下面１２にネジ３２などによって固定されて設けられている（図２（ａ）乃至（ｃ）参照）。さらに、連結部３０、３１は、互いに隣接する板部材１０、１０のうちの他方の板部材１０の縁１３に向かって突出した状態で設けられ、突出した連結部３０と連結部３１との間３３は、他方の板部材１０の縁１３が挿入可能な幅を有している。
【００１９】
固定部材４０は、図４に示すように、金属などの所定の硬度を有する材料からなり、断面コ字状に形成されている。断面コ字状に形成された固定部材４０の上端縁４１は、互いに隣接する板部材１０、１０のうちいずれか一方の板部材１０の固定孔１５に挿入可能に形成され、固定部材４０の下端縁４２は、他方の板部材１０の固定孔１５に挿入可能に形成されている。
【００２０】
規制部材５０は、図３及び図４に示すように、木材などの材料からなり、断面Ｌ字状に形成された本体部５１と、金属などの材料からなり、底部５６が後述する本体部５１の堀溝５４に取り付けられると共に、上端５７が板部材１０の固定孔１５に挿入されることにより、本体部５１を板部材１０に装着させる断面逆Ｌ字状に形成された固定部５５とを備えている。本体部５１は、板部材１０の縁１３の長さとほぼ同一の長さの奥行きを有し、本体部５１の奥行き方向の中央と板部材１０の縁１３の中央とがほぼ同一の位置となるように配置した際に、板部材１０の固定孔１５と整合する位置に固定部５５の底部５６を挿入して取り付けることができる堀溝５４が形成されている。また、本体部５１は、段差部分の高さが支持部材２０の高さとほぼ同一に形成されており、本体部５１の堀溝５４の深さは、堀溝５４に固定部５５の底部５６を挿入して取り付けた際に、固定部５５の底部５６の表面の位置と、堀溝５４が形成された領域以外の本体部５１の段差部分の表面の位置とが一致するように形成されている。
【００２１】
次に、図５に基づいて、本実施形態に係る弾性機能を有する床構造１の組み立て方法について説明する。本実施形態に係る弾性機能を有する床構造１の組み立ては、まず、互いに隣接する板部材１０、１０のうちいずれか一方の板部材１０に設けられた一対の連結部３０、３１の間３３に、他方の板部材１０の縁１３を順次挿入し、２以上の板部材１０からなる床板２を形成する。次に、一の固定部材４０の上端縁４１を隣接する一方の板部材１０の固定孔１５に挿入すると共に、下端縁４２を隣接する他方の板部材１０の固定孔１５に挿入して、順次隣接する板部材１０同士を固定させる。最後に、床板２の外周に位置する板部材１０の固定孔１５に規制部材５０の固定部５５を挿入し、床板２の外周縁２ａに規制部材５０を装着させる。また、本実施形態に係る弾性機能を有する床構造１の解体は、以上の手順の逆の手順により行なうことができる。
【００２２】
以上のように組み立てられた本実施形態に係る弾性機能を有する床構造１は、図５に示すように、規制部材５０により囲われた領域の内側に複数の畳３を隙間なく敷設することによって、スプリング整備のなされた柔道場と同様の弾性機能を有する床構造を仮設的に実現させることができる。
【００２３】
ここで、本実施形態に係る弾性機能を有する床構造１は、板部材１０の下面１２に設けられた複数の支持部材２０のうち、１以上の支持部材２０を復元力が異なるものに変更したり、復元力が異なる２種類の支持部材２０を用意し、縦方向及び横方向に互いに隣接する支持部材２０が異なる種類の支持部材２０となるように配置したりすることにより、弾性機能の硬さを変更することができる。
【００２４】
本実施形態に係る弾性機能を有する床構造１の硬さを変更する具体的な態様としては、例えば、全ての支持部材２０を比較的復元力の大きい種類の支持部材とすることにより、弾性機能の硬さを硬くして、体重の重い大学生以上の使用に適した弾性機能を有する床構造とすることができ、また、全ての支持部材２０を比較的復元力の小さい種類の支持部材とすることにより、弾性機能の硬さを軟らかくして、体重の軽い小学生以下の使用に適した弾性機能を有する床構造とすることができる。さらに、比較的復元力の大きい種類の支持部材と比較的復元力の小さい種類の支持部材とを用意し、縦方向及び横方向に互いに隣接する支持部材２０が異なる種類の支持部材２０となるように配置することにより、弾性機能の硬さを中程度の硬さにして、中学生及び高校生の使用に適した弾性機能を有する床構造とすることができる。
【００２５】
本実施形態に係る弾性機能を有する床構造１において、連結部３０、３１は、板部材１０の縁１３から突出した部分を板部材１０側に収納することができるスライド式の連結部であるとしても良く、これにより、弾性機能を有する床構造１を解体した後の板部材１０の収納スペースを小さくすることができると共に、板部材１０の縁１３から突出している部分に起因する怪我を防止することができる。
【符号の説明】
【００２６】
１  弾性機能を有する床構造、１０  板部材、２０  支持部材、３０  連結部、４０  固定部材、５０  規制部材
【図１】
2011074667.tif 000003
【図２】
2011074667.tif 000004
【図３】
2011074667.tif 000005
【図４】
2011074667.tif 000006
【図５】
2011074667.tif 000007